(57)【特許請求の範囲】
【請求項１】
ハンドルの操作により、一対のロッド棒が上下動するハンドル装置であって、ハンドルの先端部には操作部が形成され、この操作部が回動自在となるようハンドルの基部がハンドル本体に枢着されており、ハンドル本体に枢着した支持リンクと前記操作部とを、前記支持リンクがハンドル操作によってハンドルと同一方向へ回動するように第１のリンクプレートで接続し、該支持リンクには上方に延びる一方のロッド棒を連結し、また、ハンドル本体の内部側に形成した支持部に中間部を枢着されて回動自在な反転用支持リンクを取り付け、この反転用支持リンクの一端と前記操作部とを、前記反転用支持リンクがハンドル操作によってハンドルと反対方向へ回動するように第２のリンクプレートで接続するとともに、その他端に下方に延びる他方のロッド棒を連結して、ハンドル操作により前記上方に延びる一方のロッド棒と、下方に延びる他方のロッド棒を互いに反対方向に動かす反転用リンク機構を構成したことを特徴とするハンドル装置。
【発明の詳細な説明】
【技術分野】
【０００１】
本発明は、ハンドル操作によって上下一対のロッド棒をそれぞれ反対方向に動かし、ロッド棒により簡単かつ確実に鎖錠・解錠を行えるハンドル装置に関するものである。
【背景技術】
【０００２】
例えば、分電盤や配電盤等の電気機器収納用キャビネットは、内部の電気機器が不用意に操作されることを防止するために蝶番によって扉が取り付けられ、扉を閉じた状態で鎖錠できるようにしてある。このようなキャビネットの鎖錠装置として、出願人は、例えば特許文献１や特許文献２に示すような、ハンドルの操作により一対のロッド棒が上下動するハンドル装置を開発し、先に出願した。
【０００３】
しかしながら、特許文献１のものは、ハンドル操作により上下のロッド棒が同じ方向に移動するので、ロッド棒の先端を折り曲げてクランプ金具等で鎖錠したり、ロッド棒がキャビネットのフレームから離れる側においては別のロック装置を取り付ける必要がある等の問題点が残されている。また、特許文献２のものは、ロッド棒自体に反転機構を設けるものであり、扉面にロッド反転用金具を設置するため製造コストが高くなるという問題点があった。
【特許文献１】特開２００２−３６４２２７号公報
【特許文献２】特開２００４−１６２４６５号公報
【発明の開示】
【発明が解決しようとする課題】
【０００４】
本発明は上記のような問題点を解決して、ハンドル操作によって上下一対のロッド棒をそれぞれ反対方向に動かし、ロッド棒により簡単かつ確実に鎖錠・解錠を行うことができるハンドル装置を提供することを目的として完成されたものである。
【課題を解決するための手段】
【０００５】
上記課題を解決するためになされた本発明のハンドル装置は、ハンドルの操作により、一対のロッド棒が上下動するハンドル装置であって、ハンドルの先端部には操作部が形成され、この操作部が回動自在となるようハンドルの基部がハンドル本体に枢着されており、ハンドル本体に枢着した支持リンクと前記操作部とを、前記支持リンクがハンドル操作によってハンドルと同一方向へ回動するように第１のリンクプレートで接続し、該支持リンクには上方に延びる一方のロッド棒を連結し、また、ハンドル本体の内部側に形成した支持部に中間部を枢着されて回動自在な反転用支持リンクを取り付け、この反転用支持リンクの一端と前記操作部とを、前記反転用支持リンクがハンドル操作によってハンドルと反対方向へ回動するように第２のリンクプレートで接続するとともに、その他端に下方に延びる他方のロッド棒を連結して、ハンドル操作により前記上方に延びる一方のロッド棒と、下方に延びる他方のロッド棒を互いに反対方向に動かす反転用リンク機構を構成したことを特徴とするものである。
【発明の効果】
【０００６】
本発明のハンドル装置は、ハンドルの操作により、一対のロッド棒が上下動するハンドル装置であって、ハンドルの先端部には操作部が形成され、この操作部が回動自在となるようハンドルの基部がハンドル本体に枢着されており、ハンドル本体に枢着した支持リンクと前記操作部とを第１のリンクプレートで接続し、該支持リンクに一方のロッド棒を連結するとともに、ハンドル本体の内部側に形成した支持部に中間部を回動自在に枢着される反転用支持リンクの一端に第２のリンクプレートを接続するとともに、その他端に他方のロッド棒を連結して、ハンドル操作によりロッド棒が互いに反対方向に動かす反転用リンク機構を構成したものであるから、コンパクトな構造とすることができ、また反転用リンクの動きが滑らかであるため、ロッド棒を上下方向に拡開および縮めさせて、容易かつ確実に鎖錠・解錠することができるとともに、コンパクトな構造でありスリムなハンドル装置を得ることができる。
【発明を実施するための最良の形態】
【０００７】
以下に、図面を参照しつつ本発明の好ましい実施の形態を示す。
図１はハンドルを閉じた状態を示す斜視図、図２はハンドルを開いた状態を示す斜視図、図３は分解斜視図である。また、図４に図１の側面図、図５に図２の側面図、図６に図１の側面断面図、図７に図２の側面断面図をそれぞれ示す。
【０００８】
図において、１はハンドル本体、２はハンドル、３，３は一対のロッド棒であり、前記ハンドル２の開閉操作により一対のロッド棒３、３を動かして扉を閉状態に鎖錠するハンドル装置である。
本発明では、このようなハンドル装置において、いずれか一方のロッド棒をハンドル操作により他方のロッド棒とは反対方向へ動かす反転用リンク機構２０を介してハンドル２に連結した構造となっている。このような構成により、ハンドル２を操作した場合、従来のように一対のロッド棒３、３が二つとも同じ方向に動くことはなく、鎖錠する場合は上下に拡開する方向（図１の矢印方向）に、一方、解錠する場合は上下に縮まる方向（図２の矢印方向）に動くこととなる。
【０００９】
また、前記ハンドル２の先端部には操作部４が形成され、この操作部４が回動自在となるようにハンドル２の基部が枢着部５ａでハンドル本体１に枢着されている。更に、この操作部４には第１のリンクプレート６と第２のリンクプレート７とが連結されており、これらのリンクプレート６、７を介して接続される支持リンク８および反転用支持リンク９に一対のロッド棒３、３がそれぞれ連結されている。
なお、図において５ｂは、操作部４と第１のリンクプレート６の枢着部、５ｃは操作部４と第２のリンクプレート７の枢着部であり、また、５ｄは第１のリンクプレート６と支持リンク８の枢着部、５ｅ（図４、５を参照）は第２のリンクプレート７と反転用支持リンク９の枢着部である。更に、前記支持リンク８は、回動自在となるように枢着部５ｆでハンドル本体１に枢着されていて、その先端部を上方に向けた鉤状のものであり、その上部をハンドル２を閉じた状態でキャビネットの受け金具（図示せず）と係合する係合面部８ｂとすることにより、ロッド棒の先端部に加えてハンドル装置自体でも鎖錠を可能とするものである。
【００１０】
前記反転用リンク機構２０は、ハンドル本体１の内部側に形成した支持部１０と、この支持部１０に中間部を枢着部５ｇにより回動自在に枢着されるロッド棒の反転用支持リンク９からなるものである。また、前記支持リンク８および反転用支持リンク９には、それぞれ連結孔８ａ、９ａが形成されており、この連結孔８ａ、９ａに一対のロッド棒３、３の各端部を連結した構造となっている。
この反転用リンク機構２０は、ハンドル操作によりいずれか一方のロッド棒を他方のロッド棒とは反対方向へ動かすものである。これにより、ロッド棒３、３の先端部を上下方向に拡開してキャビネットのフレームの端部等（図示せず）に係合させることで扉を鎖錠し、一方、上下方向に縮ませてロッド棒先端部の係合を解くことで扉を解錠するものである。
【００１１】
また、図４に示されるように、ハンドル本体１にはキーケース１１が内蔵されており、鎖錠状態においてハンドル２の孔部２ａを通じて鍵をかければハンドル２をロックして操作不可能とすることもでき、この場合は、外部から不用意に操作されるのを防止することができ、より好ましい。
【００１２】
次に、このように構成されたハンドル装置の作動について説明する。
図１、図４、図６は、ハンドル２を閉じた状態（扉を鎖錠した状態）を示している。なお、図面では左右方向に書かれているが、実際にはハンドル２を上下方向に操作するよう左側を上部とし、右側を下部とするようにキャビネットの扉に設置されるものである。以下、図２〜図７も同じである。
【００１３】
図１に示す鎖錠状態は、ハンドル２をハンドル本体１側へ閉じた状態にあるため、操作部４は枢着部５ａを中心に時計方向回りにハンドル本体１側へ回動させられており、これに伴って第１のリンクプレート６も引き上げられた状態となる。これにより第１のリンクプレート６に連結された支持リンク８は枢着部５ｆを中心に時計方向回りに回動させられ、この結果、連結孔８ａに連結したロッド棒３が左向きの矢印方向へ移動させられることとなる。
【００１４】
一方、第２のリンクプレート７も操作部４の回動に伴って左方向へ引っ張られた状態となるが、右側にあるロッド棒３は左側の前記ロッド棒とは反対方向へ動かす反転用リンク機構２０を介して連結されているので、連結孔９ａに連結したロッド棒３は右向きの矢印方向へ移動させられることとなる。
即ち、前記反転用リンク機構２０は、ハンドル本体１の内部側に形成した支持部１０と、この支持部１０に中間部を枢着部５ｇにより回動自在に枢着されるロッド棒の反転用支持リンク９からなるものとされており、この反転用支持リンク９に連結孔９ａが形成されて、この孔にロッド棒３の端部を連結した構造となっている。従って、リンクプレート７が左方向へ引っ張られると、反転用支持リンク９は枢着部５ｇを中心に反時計方向回りに回動させられ、この結果、連結孔９ａに連結したロッド棒３は右方向に向けて移動させられることとなる。
【００１５】
このように、ハンドル２を閉じた状態とすると左側のロッド棒３は左方向へ移動し、一方、右側のロッド棒３はこれとは反対の右方向へ移動して、それぞれのロッド棒の先端がキャビネットのフレームの端部等（図示せず）に係合して扉をしっかりと鎖錠することとなる。
この状態においては、操作部４と第１のリンクプレート６の枢着部５ｂが、ハンドル２のハンドル本体１への枢着部５ａと第１のリンクプレート６と支持リンク８の枢着部５ｄとの中立点すなわち直線位置よりハンドル本体１側に位置する構造としている。
これにより、ハンドル２を閉じた状態にあっては支持リンク８の係合面部８ｂから係合解除方向の力が加わっても第１のリンクプレート６には、常に枢着部５ｂをハンドル本体１側に向けた力のみが作用するので、ハンドル２には操作部４を介して閉まる方向に力が作用し、不意の外力によりハンドル２がハンドル本体１より浮き上がることがないものである。
なお、この鎖錠状態でキーケース１１に鍵をかければ、ハンドル２をロックして操作不可能とすることができるので、外部から不用意に操作されるのを確実に防止することができ、より好ましい。
【００１６】
次に、図２、図５、図７に示すように、ハンドル２を開いた状態（扉を解錠した状態）について説明する。
ハンドル操作により、操作部４は枢着部５ａを中心に反時計方向回りに回動させられているので、操作部４はハンドル本体１から離れる側へ回動する。これにより、第１のリンクプレート６は右方向へ引っ張られる状態となり、更に第１のリンクプレート６に連結された支持リンク８は枢着部５ｆを中心に反時計方向回りに回動させられる。この結果、連結孔８ａに連結したロッド棒３が右向きの矢印方向へ移動させられることとなる。
【００１７】
一方、第２のリンクプレート７は操作部４の回動に伴って右方向へ押し出された状態となるが、右側にあるロッド棒３は左側にある前記ロッド棒とは反対方向へ動かす反転用リンク機構２０を介して連結されているので、連結孔９ａに連結したロッド棒３は左向きの矢印方向へ移動させられることとなる。
即ち、リンクプレート７が右方向へ押し出されると、反転用支持リンク９は枢着部５ｇを中心に時計方向回りに回動させられ、この結果、連結孔９ａに連結したロッド棒３は左方向に向けて移動させられることとなる。
【００１８】
なお、図４および図５に示されるように、ハンドル２の基部にはバネ１２が装着されていて、ハンドル基部に形成した突起１３とハンドル本体１に形成した突起１４とを常に弾発する構造となっているので、バネ１２の弾発下でハンドル２の操作を節度感よく行うことができる。
【００１９】
以上の説明からも明らかなように、本発明では、いずれか一方のロッド棒をハンドル操作により他方のロッド棒とは反対方向へ動かす反転用リンク機構を介してハンドルに連結したので、一対のロッド棒を簡単に上下方向に拡開させて鎖錠し、また上下方向に縮ませて解錠することができるものである。また、この状態においては、操作部と第１のリンクプレートの枢着部が、ハンドルのハンドル本体への枢着部と第１のリンクプレートと支持リンクの枢着部との中立点すなわち直線位置よりハンドル本体側に位置する構造としたため、ハンドルを閉じた状態にあっては支持リンクの係合面部８ｂから係合解除方向の力が加わっても第１のリンクプレートには、常に枢着部をハンドル本体側に向けた力のみが作用し、ハンドルがハンドル本体より浮き上がることがないものである。
従って、従来のように一対のロッド棒が同じ方向に移動するために、ロッド棒がキャビネットのフレームから離れる側においては別のロック装置を取り付ける等の必要もなくなり、低コストのハンドル装置を提供することができることとなる。また、コンパクトな構造で大幅なスリム化および軽量化も図ることができるというメリットも有する。
【図面の簡単な説明】
【００２０】
【図１】本発明の装置においてハンドルを閉じた状態を示す斜視図である。
【図２】本発明の装置においてハンドルを開いた状態を示す斜視図である。
【図３】本発明の装置の分解斜視図である。
【図４】図１の説明用の側面図である。
【図５】図２の説明用の側面図である。
【図６】図１の側面断面図である。
【図７】図２の側面断面図である。
【符号の説明】
【００２１】
１  ハンドル本体
２  ハンドル
３  ロッド棒
４  操作部
5a、5b、5c、5d、5e、5f、5g  枢着部
６  リンクプレート
７  リンクプレート
８  支持リンク
8a  連結孔
8b  係合面部
９  反転用支持リンク
9a  連結孔
１０  支持部
１１  キーケース
２０  反転用リンク機構
【図１】
0005252945.tif 000002
【図２】
0005252945.tif 000003
【図３】
0005252945.tif 000004
【図４】
0005252945.tif 000005
【図５】
0005252945.tif 000006
【図６】
0005252945.tif 000007
【図７】
0005252945.tif 000008